(57)【要約】【課題】直管型ＬＥＤ照明に最小限の追加をすることで利用価値を高める。【解決手段】発光素子としてのＬＥＤが管体２に収容されている直管型のＬＥＤ照明装置１において、管体２の長手方向の一端部に外部から電力が供給される口金ピン５ａ、５ｂが設けられ、管体２の長手方向の他端部に外部へ電力を供給する口金ピン６ａ、６ｂが設けられている。【選択図】図２
2020071988.tif 000002
【特許請求の範囲】
【請求項１】
発光素子としての発光ダイオードが管体に収容されている直管型のＬＥＤ照明装置において、
前記管体の長手方向の一端部に外部から電力が供給される第１接続部が設けられ、
前記管体の長手方向の他端部に外部へ電力を供給する第２接続部が設けられている、
ことを特徴とするＬＥＤ照明装置。
【請求項２】
前記第１接続部から供給された電力に基づいて前記発光ダイオードが必要とする定電流を供給する第１電源回路を備えることを特徴とする請求項１に記載のＬＥＤ照明装置。
【請求項３】
前記第２接続部は、前記第１電源回路で生成された定電流を出力することを特徴とする請求項２に記載のＬＥＤ照明装置。
【請求項４】
前記第１接続部から供給された電力に基づいて所定の電流又は電圧を生成する第２電源回路を備え、
前記第２接続部は、前記第２電源回路で生成された前記所定の電流又は電圧を出力する、
ことを特徴とする請求項２に記載のＬＥＤ照明装置。
【請求項５】
前記第１接続部から供給された電力が前記第２接続部から出力されていることを特徴とする請求項１または２に記載のＬＥＤ照明装置。
【発明の詳細な説明】
【技術分野】
【０００１】
本発明は、直管型のＬＥＤ（発光ダイオード）照明装置に関する。
【背景技術】
【０００２】
近年、屋内や鉄道車両等の移動体内に設置されている直管型蛍光灯を、省エネルギーや長寿命化の観点からＬＥＤを使用した照明器具に置き換えることが行われている。
【０００３】
また、直管型ＬＥＤをソケット部に取り付けて使用するＬＥＤ照明用のカメラユニットが、例えば特許文献１に記載されている。この種のカメラユニットによれば、例えば、照明装置を利用して防犯カメラを設置することが可能となる。
【先行技術文献】
【特許文献】
【０００４】
【特許文献１】特開２０１６−３９５４３号公報
【発明の概要】
【発明が解決しようとする課題】
【０００５】
特許文献１に記載の構成では、直管型ＬＥＤはカメラユニットから電力の供給を得ている。つまり、カメラユニットはソケット側から電力供給を受けている。そのため、ソケット側から商用電源が供給されている場合、カメラユニットは変圧器等の部品を内蔵する必要があり、低コスト化や小型化が困難になる場合がある。
【０００６】
一方、直管型ＬＥＤは、直管型蛍光灯を置き換えるため、ソケット側から供給された電力によりＬＥＤを発光させるために必要な電圧や電流に変換するための回路が設けられていることが多い。また、直管型ＬＥＤは、周囲を照明するため、ある程度の長さが必要となることからカメラユニットほど小型化が望まれていない。
【０００７】
そこで、本発明は、直管型ＬＥＤ照明に最小限の追加をすることで利用価値を高めることを目的とする。
【課題を解決するための手段】
【０００８】
上記課題を解決するためになされた請求項１に記載された発明は、発光素子としての発光ダイオードが管体に収容されている直管型のＬＥＤ照明装置でおいて、前記管体の長手方向の一端部に外部から電力が供給される第１接続部が設けられ、前記管体の長手方向の他端部に外部へ電力を供給する第２接続部が設けられている、ことを特徴とするＬＥＤ照明装置である。
【０００９】
請求項２に記載された発明は、請求項１に記載された発明において、前記第１接続部から供給された電力に基づいて前記発光ダイオードが必要とする定電流を供給する第１電源回路を備えることを特徴とするものである。
【００１０】
請求項３に記載された発明は、請求項２に記載された発明において、前記第２接続部は、前記第１電源回路で生成された定電流を出力することを特徴とするものである。
【００１１】
請求項４に記載された発明は、請求項２に記載された発明において、前記第１接続部から供給された電力に基づいて所定の電流又は電圧を生成する第２電源回路を備え、前記第２接続部は、前記第２電源回路で生成された前記所定の電流又は電圧を出力する、ことを特徴とするものである。
【００１２】
請求項５に記載された発明は、請求項１または２に記載された発明において、前記第１接続部から供給された電力が前記第２接続部から出力されていることを特徴とするものである。
【発明の効果】
【００１３】
請求項１に記載の発明によれば、直管型ＬＥＤ照明装置の管体の長手方向の他端部に外部へ電力を供給する第２接続部が設けられているので、直管型ＬＥＤ照明装置から他の機器へ容易に電力を供給することができる。したがって、直管型ＬＥＤ照明装置に最小限の追加をすることで利用価値を高めることができる。
【００１４】
請求項２に記載の発明によれば、第１接続部から供給された電力に基づいて発光ダイオードを点灯させることができる。
【００１５】
請求項３に記載の発明によれば、第１電源回路で生成された定電流を出力することができる。即ち、発光ダイオードに供給する定電流を外部にも出力することが可能となる。
【００１６】
請求項４に記載の発明によれば、第２電源回路で生成された電流又は電圧を出力することができる。即ち、発光ダイオードに供給する電流又は電圧と異なる電流又は電圧を外部に出力することが可能となる。
【００１７】
請求項５に記載の発明によれば、ＬＥＤ照明装置に入力された電力をそのまま外部に出力させることができる。
【図面の簡単な説明】
【００１８】
【図１】本発明の第１の実施形態にかかるＬＥＤ照明装置の外観斜視図である。
【図２】図１に示されたＬＥＤ照明装置の機能的構成である。
【図３】本発明の第１の実施形態にかかるＬＥＤ照明装置の機能的構成である。
【発明を実施するための最良の形態】
【００１９】
（第１実施形態）
以下、本発明の第１の実施形態を、図１及び図２を参照して説明する。図１は、本発明の第１の実施形態にかかるＬＥＤ照明装置の外観斜視図である。
【００２０】
ＬＥＤ照明装置１は、図１に示したように直管型のＬＥＤ照明装置である。ＬＥＤ照明装置１は、管体２と、口金部３と、口金部４と、を備えている。
【００２１】
管体２は、例えば透光性を有する合成樹脂材料により直管状に形成されている。また、管体２には、内部に複数の発光ダイオード（ＬＥＤ）を実装したＬＥＤ基板や電源回路等が収容されている。
【００２２】
口金部３は、管体２の長手方向の一端側に設けられている。口金部３には、図１に示すように、管体２の長手方向に突出する一対の口金ピン５ａ、５ｂが設けられている。口金ピン５ａ、５ｂは、金属等の剛性の高い材料で略円筒形に形成されている。口金ピン５ａ、５ｂは、ＬＥＤ照明装置１を取り付けるソケット等に装着されることでソケット等から電力がＬＥＤ照明装置１に供給される。即ち、口金ピン５ａ、５ｂは、管体２の長手方向の一端部に設けられた外部から電力が供給される第１接続部として機能する。
【００２３】
口金部４は、管体２の長手方向の他端側に設けられている。口金部４も、口金部３と同様に一対の口金ピン６ａ、６ｂが設けられている（図２を参照）。口金ピン６ａ、６ｂは、ＬＥＤ照明装置１の長手方向に並べて配置する機器等と接続することで、当該機器等に電力を供給することができる。即ち、口金ピン６ａ、６ｂは、管体２の長手方向の他端部に設けられた外部へ電力が供給する第２接続部として機能する。
【００２４】
図２に、ＬＥＤ照明装置１の機能的構成を示す。図２に示したように、ＬＥＤ照明装置１は、電源回路７と、ＬＥＤ基板８と、を備えている。電源回路７と、ＬＥＤ基板８と、は、上述したように、管体２内に収容されている。
【００２５】
電源回路７は、口金ピン５ａ、５ｂと電気的に接続されて、外部から電力が供給される。口金ピン５ａ、５ｂから供給される電力としては商用電源（交流１００Ｖ又は２００Ｖ）等が挙げられる。なお、口金ピン５ａ、５ｂから供給される電力としては商用電源に限らず、他の交流や直流の電源であってもよい。
【００２６】
電源回路７は、例えば商用電源が供給された場合は、当該商用電源電圧を変圧する変圧器、変圧された交流電圧を整流する整流回路、ＬＥＤを点灯させるための定電流を生成する定電流回路等を備えている。即ち、電源回路７は、口金ピン５ａ、５ｂ（第１接続部）から供給された電力に基づいてＬＥＤが必要とする定電流を供給する第１電源回路として機能する。
【００２７】
ＬＥＤ基板８は、表面に発光素子として複数のＬＥＤが実装されている。ＬＥＤ基板８は、電源回路７で生成された定電流が供給されることでＬＥＤが点灯する。
【００２８】
また、図２に示したように、口金ピン６ａは口金ピン５ａと電気的に接続され、口金ピン６ｂは口金ピン５ｂと電気的に接続されている。即ち、口金ピン５ａ、５ｂ（第１接続部）から供給された電力が口金ピン６ａ、６ｂ（第２接続部）から出力されている。
【００２９】
なお、図１や図２に示した例では口金部３と口金部４には、同じ形状の接続部（ピン）が設けられているが異なる形状であってもよい。特に口金部４に設ける接続部は、他の機器等が接続されるため、直管型蛍光灯を装着するためのソケットに装着可能な口金ピン５ａ、５ｂのような形状ではなく、他の形状のコネクタであってもよい。また、口金部４に設ける接続部は雄型ではなく雌型であってもよい。
【００３０】
このような、口金部３と口金部４とで異なる形状の接続部を設けることで、ＬＥＤ照明装置１を装着する際に本来装着されるべき向きと逆向きに装着されることを防止できる。
【００３１】
本実施形態によれば、発光素子としてのＬＥＤが管体２に収容されている直管型のＬＥＤ照明装置１において、管体２の長手方向の一端部に外部から電力が供給される口金ピン５ａ、５ｂが設けられ、管体２の長手方向の他端部に外部へ電力を供給する口金ピン６ａ、６ｂが設けられている。このようにすることにより、口金ピン６ａ、６ｂにより、直管型のＬＥＤ照明装置１から他の機器へ容易に電力を供給することができる。したがって、ＬＥＤ照明装置１に最小限の追加をすることで利用価値を高めることができる。
【００３２】
また、口金ピン５ａ、５ｂから供給された電力に基づいてＬＥＤが必要とする定電流を供給する電源回路７を備えているので、口金ピン５ａ、５ｂから供給された電力に基づいてＬＥＤを点灯させることができる。
【００３３】
また、口金ピン５ａ、５ｂから供給された電力が口金ピン６ａ、６ｂから出力されているので、ＬＥＤ照明装置１に入力された電力をそのまま外部に出力させることができる。
【００３４】
（第２実施形態）
次に、本発明の第２の実施形態にかかるＬＥＤ照明装置１Ａを図３を参照して説明する。前述した第１の実施形態と同一部分には、同一符号を付して説明を省略する。
【００３５】
本実施形態は、外観は第１の実施形態と同様であるが、電源回路の構成が異なる。図３に本実施形態にかかるＬＥＤ照明装置１の機能的構成を示す。
【００３６】
図３では、電源回路７が電源回路７Ａに変更されている。また、口金ピン６ａ、６ｂが口金ピン５ａ、５ｂと直接接続されずに、電源回路７Ａと電気的に接続されている。
【００３７】
電源回路７Ａは、変圧器、整流回路、定電流回路等のＬＥＤ基板８に対して定電流を供給する回路構成は第１の実施形態と同様である。電源回路７Ａは、ＬＥＤ基板８に定電流を供給するのとは別に口金ピン６ａ、６ｂから外部に出力するための電力（例えば５Ｖの直流電圧）を生成する。口金ピン６ａ、６ｂから外部に出力するための電力としては、上述したような直流でもよいし、或いは交流でもよい。また、定電流でもよいし、定電圧でもよい。即ち、電源回路７Ａは、第１電源回路だけでなく、口金ピン５ａ、５ｂ（第１接続部）から供給された電力に基づいて所定の電流又は電圧を生成する第２電源回路としても機能する。
【００３８】
つまり、電源回路７Ａは、図３に示したように、ＬＥＤ基板８に電力を供給する出力と、口金ピン６ａ、６ｂから外部に電力を供給する出力の２系統を有している。
【００３９】
なお、図３では、電源回路７Ａが第１電源回路と第２電源回路の機能を兼ねていたが、それぞれ別途の回路として構成してもよい。
【００４０】
なお、電源回路７Ａは、ＬＥＤ基板８に供給する定電流を口金ピン５ａ、５ｂから出力するようにしてもよい。この場合、図３のように２系統の出力ではなく、ＬＥＤ基板８に供給する配線を分岐して口金ピン５ａ、５ｂと接続するようにしてもよい。このようにすることにより、ＬＥＤを発光させるための定電流を外部にも出力することが可能となる。
【００４１】
本実施形態によれば、口金ピン５ａ、５ｂから供給された電力に基づいて電源回路７Ａが所定の電流又は電圧を生成し、口金ピン６ａ、６ｂへ出力するので、電源回路７Ａで生成された電流又は電圧を出力することができる。即ち、ＬＥＤに供給する電流又は電圧と異なる電流又は電圧を外部に出力することが可能となる。
【００４２】
なお、本発明は上記実施形態に限定されるものではない。即ち、当業者は、従来公知の知見に従い、本発明の骨子を逸脱しない範囲で種々変形して実施することができる。かかる変形によってもなお本発明のＬＥＤ照明装置の構成を具備する限り、勿論、本発明の範疇に含まれるものである。
【符号の説明】
【００４３】
１                 ＬＥＤ照明装置
２                 管体
３、４             口金
５ａ、５ｂ         口金ピン（第１接続部）
６ａ、６ｂ         口金ピン（第２接続部）
７                 電源回路（第１電源回路、第２電源回路）
８                 ＬＥＤ基板（ＬＥＤ）
【図１】
2020071988.tif 000003
【図２】
2020071988.tif 000004
【図３】
2020071988.tif 000005